(57)【要約】【課題】圧電振動片の電極部または圧電基板をパッケージへ固定し、圧電振動片の電極部とパッケージのパッド部との電気的接続を図った後に、電気的接続および固定の良否、特に固定の良否について全数を検査すること。【解決手段】マウント電極部４が水晶基板２の表面（または裏面）に形成されている場合、水晶基板２の裏面（または表面）からマウント電極部４を透かし見る非破壊試験により全数検査を実施するので、マウント電極部４の露出部４２の状態を確認することができる。これにより、抜き取りで破壊試験を実施することによる不良の発生、つまり歩留りの低下を引き起こすことを防ぐことができる。【選択図】図１
2010161528.tif 000002
【特許請求の範囲】
【請求項１】
圧電基板と、
前記圧電基板の表面または裏面のいずれかに形成されたマウント電極部とを備え、
前記マウント電極部は、導電性部材により形成された導通部と、
前記導通部に囲まれて前記圧電基板が露出した複数の露出部とを有することを特徴とする圧電振動片。
【請求項２】
請求項１に記載の圧電振動片であって、
前記マウント電極部は、前記圧電基板の表面および裏面に形成され、
前記表面および前記裏面のマウント電極部は、それぞれ前記複数の露出部を有し、
前記表面の複数の前記露出部のうち一の露出部と、前記裏面の複数の前記露出部のうち一の前記露出部とは、平面視して少なくとも一部が重なっていることを特徴とする圧電振動片。
【請求項３】
請求項１または２に記載の圧電振動片であって、
前記圧電基板は、透光性を有していることを特徴とする圧電振動片。
【請求項４】
請求項１〜３のいずれか一項に記載の圧電振動片であって、
前記圧電基板は、水晶であることを特徴とする圧電振動片。
【請求項５】
圧電基板と、
前記圧電基板の表面または裏面のいずれかに形成されたマウント電極部と、
前記圧電基板を収納するパッケージと、
前記パッケージ内に形成された導通固定部とを備え、
前記圧電基板は、前記パッケージ内に気密に封止され、
前記マウント電極部は、前記導通固定部に固定され電気的に接続され、
前記マウント電極部は、導電性部材により形成された導通部と、
前記導通部に囲まれて前記圧電基板が露出した複数の露出部とを有することを特徴とする圧電振動子。
【請求項６】
請求項５に記載の圧電振動子であって、
前記マウント電極部は、前記圧電基板の表面および裏面に形成され、
前記表面および前記裏面のマウント電極部は、それぞれ前記複数の露出部を有し、
前記表面の複数の前記露出部のうち一の露出部と、前記裏面の複数の前記露出部のうち一の前記露出部とは、平面視して少なくとも一部が重なっていることを特徴とする圧電振動子。
【請求項７】
請求項５または６に記載の圧電振動子であって、
前記圧電基板は、透光性を有していることを特徴とする圧電振動子。
【請求項８】
請求項５〜７のいずれか一項に記載の圧電振動子であって、
前記圧電基板は、水晶であることを特徴とする圧電振動子。
【請求項９】
圧電基板と、
前記圧電基板の表面または裏面のいずれかに形成されたマウント電極部と、
前記圧電基板を収納するパッケージと、
前記パッケージ内に形成された導通固定部と、
前記圧電基板を駆動させる駆動回路とを備え、
前記圧電基板は、前記パッケージ内に気密に封止され、
前記マウント電極部は、前記導通固定部に固定され電気的に接続され、
前記マウント電極部は、導電性部材により形成された導通部と、
前記導通部に囲まれて前記圧電基板が露出した複数の露出部とを有することを特徴とする圧電デバイス。
【請求項１０】
請求項９に記載の圧電デバイスであって、
前記マウント電極部は、前記圧電基板の表面および裏面に形成され、
前記表面および前記裏面のマウント電極部は、それぞれ前記複数の露出部を有し、
前記表面の複数の前記露出部のうち一の露出部と、前記裏面の複数の前記露出部のうち一の前記露出部とは、平面視して少なくとも一部が重なっていることを特徴とする圧電デバイス。
【請求項１１】
請求項９または１０に記載の圧電デバイスであって、
前記圧電基板は、透光性を有していることを特徴とする圧電デバイス。
【請求項１２】
請求項９〜１１のいずれか一項に記載の圧電デバイスであって、
前記圧電基板は、水晶であることを特徴とする圧電デバイス。
【発明の詳細な説明】
【技術分野】
【０００１】
本発明は、圧電振動片、圧電振動片を用いた圧電振動子、および圧電振動片を用いた圧電デバイスに関する。
【背景技術】
【０００２】
従来から、水晶などの圧電基板に、金（Ａｕ）などからなる電極部が形成された圧電振動片を、アルミナなどからなるパッケージに固定し、電極部とパッケージに形成されたパッド部とを電気的に接続する方法として、導電性接着剤を用いる方法がある。
一般的に、導電性接着剤と、圧電振動片に形成された金（Ａｕ）などからなる電極部との接着力に比べて、導電性接着剤と圧電振動片との接着力が強く耐衝撃性が優れている。このため、圧電振動片の電極部の端部に非電極部を形成することで、導電性接着剤と圧電振動片（圧電基板および電極部）との接着力の向上を図っている（たとえば、特許文献１参照）。
また、リード電極（電極部）およびこのリード電極に隣接する素板（圧電基板）面に跨る範囲に導電性接着剤を塗布しているものもある（たとえば、特許文献２参照）。
【０００３】
【特許文献１】特開平９−２４６９０４号公報（２頁〜４頁、図２〜図３）
【特許文献２】特開２０００−１３８５５０号公報（２頁〜７頁、図３〜図４）
【発明の開示】
【発明が解決しようとする課題】
【０００４】
しかしながら、導電性接着剤を用いて、圧電振動片の電極部または圧電基板をパッケージへ固定し、圧電振動片の電極部とパッケージのパッド部との電気的接続を図った後に、電気的接続および固定の良否、特に固定の良否を確認するには、圧電振動片または圧電基板を剥がして確認するという破壊試験を抜き取りで実施するなどが必要になる。しかし、全数を検査することができなく、接着力不良の圧電振動子を完全に排除することは困難である。また、抜き取りで確認するため、破壊試験された圧電振動子は不良となり、歩留りが低下するという課題がある。
【課題を解決するための手段】
【０００５】
本発明は、上記課題の少なくとも一部を解決するためになされたものである。以下の形態または適用例により実現することが可能である。
【０００６】
［適用例１］本適用例にかかる圧電振動片は、圧電基板と、前記圧電基板の表面または裏面のいずれかに形成されたマウント電極部とを備え、前記マウント電極部は、導電性部材により形成された導通部と、前記導通部に囲まれて前記圧電基板が露出した複数の露出部とを有することを要旨とする。
【０００７】
これによれば、マウント電極部が圧電基板の表面（または裏面）に形成されている場合、圧電基板の裏面（または表面）からマウント電極部を透かし見ることができるので、マウント電極部の露出部の状態を確認することができる。
圧電振動片とこの圧電振動片を収納するパッケージとの固定を、圧電振動片のマウント電極部とパッケージの導通固定部との間で、たとえば導電性接着剤を用いて図った後に、圧電振動片の側から露出部を透かし見る非破壊試験で、露出部での導電性接着剤の広がり具合の良否判定を実施するので、この良否判定に基づいて導電性接着剤による圧電振動片の露出部とパッケージとの固定の接着力の良否を確認することができる。つまり、露出部に導電性接着剤が広がっていれば、圧電振動片のマウント電極部とパッケージの導通固定部との接着力を良と判断できる。これに加えて、複数の露出部への導電性接着剤の広がり具合の良否判定を実施するので、この良否判定に基づいて複数の露出部の間に形成されている導通部とパッケージの導通固定部との電気的接続の良否を確認することができる。たとえば隣接する複数の露出部に導電性接着剤が広がっていれば、複数の露出部の間に形成されている導通部に導電性接着剤が広がっていると判断できる。これにより、圧電振動片のマウント電極部とパッケージの導通固定部との電気的接続を良と判断できる。
このようにして、露出部を透かし見る非破壊試験により全数検査を実施するので、抜き取りで破壊試験を実施することによる不良の発生、つまり歩留りの低下を引き起こすことなく、接着力不良および電気的接続不良の圧電振動片を排除することができる。
【０００８】
［適用例２］上記適用例にかかる圧電振動片において、前記マウント電極部は、前記圧電基板の表面および裏面に形成され、前記表面および前記裏面のマウント電極部は、それぞれ前記複数の露出部を有し、前記表面の複数の前記露出部のうち一の露出部と、前記裏面の複数の前記露出部のうち一の前記露出部とは、平面視して少なくとも一部が重なっていることが好ましい。
【０００９】
これによれば、マウント電極部を圧電基板の表面および裏面に形成した場合であっても、マウント電極部の導通部に囲まれて形成された露出部が、圧電基板の表面および裏面で対向して配置される組み合せを複数組備えているので、圧電基板の表面から裏面、または裏面から表面を、透かし見ることができる。これにより、対向して配置された露出部を透かし見る非破壊試験で、マウント電極部での導電性接着剤の良否判定を実施するので、この良否判定に基づいて、導電性接着剤による圧電振動片とパッケージとの固定の接着力の良否、および圧電振動片のマウント電極部とパッケージの導通固定部との電気的接続の良否を確認することができる。このようにして、露出部を透かし見る非破壊試験により全数検査を実施するので、抜き取りで破壊試験を実施することによる不良の発生、つまり歩留りの低下を引き起こすことなく、接着力不良および電気的接続不良の圧電振動片を排除することができる。
【００１０】
［適用例３］上記適用例にかかる圧電振動片において、前記圧電基板は、透光性を有していることが好ましい。
【００１１】
これによれば、露出部を透かし見る非破壊試験において視認しやすくなるので、接着力および電気的接続の良否を精度良く判定することができる。
【００１２】
［適用例４］上記適用例にかかる圧電振動片において、前記圧電基板は、水晶であることが好ましい。
【００１３】
これによれば、上述と同様の効果を奏することができる。
【００１４】
［適用例５］本適用例にかかる圧電振動子は、圧電基板と、前記圧電基板の表面または裏面のいずれかに形成されたマウント電極部と、前記圧電基板を収納するパッケージと、前記パッケージ内に形成された導通固定部とを備え、前記圧電基板は、前記パッケージ内に気密に封止され、前記マウント電極部は、前記導通固定部に固定され電気的に接続され、前記マウント電極部は、導電性部材により形成された導通部と、前記導通部に囲まれて前記圧電基板が露出した複数の露出部とを有することを要旨とする。
【００１５】
これによれば、マウント電極部が圧電基板の表面（または裏面）に形成されている場合、圧電基板の裏面（または表面）からマウント電極部を透かし見ることができるので、マウント電極部の露出部の状態を確認することができる。
圧電振動片とこの圧電振動片を収納するパッケージとの固定を、圧電振動片のマウント電極部とパッケージの導通固定部との間で、たとえば導電性接着剤を用いて図った後に、圧電振動片の側から露出部を透かし見る非破壊試験で、露出部での導電性接着剤の広がり具合の良否判定を実施するので、この良否判定に基づいて導電性接着剤による圧電振動片の露出部とパッケージとの固定の接着力の良否を確認することができる。つまり、露出部に導電性接着剤が広がっていれば、圧電振動片のマウント電極部とパッケージの導通固定部との接着力を良と判断できる。これに加えて、複数の露出部への導電性接着剤の広がり具合の良否判定を実施するので、この良否判定に基づいて複数の露出部の間に形成されている導通部とパッケージの導通固定部との電気的接続の良否を確認することができる。たとえば隣接する複数の露出部に導電性接着剤が広がっていれば、複数の露出部の間に形成されている導通部に導電性接着剤が広がっていると判断できる。これにより、圧電振動片のマウント電極部とパッケージの導通固定部との電気的接続を良と判断できる。
このようにして、露出部を透かし見る非破壊試験により全数検査を実施するので、抜き取りで破壊試験を実施することによる不良の発生、つまり歩留りの低下を引き起こすことなく、接着力不良および電気的接続不良の圧電振動片を排除することができる。
【００１６】
［適用例６］上記適用例にかかる圧電振動子において、前記マウント電極部は、前記圧電基板の表面および裏面に形成され、前記表面および前記裏面のマウント電極部は、それぞれ前記複数の露出部を有し、前記表面の複数の前記露出部のうち一の露出部と、前記裏面の複数の前記露出部のうち一の前記露出部とは、平面視して少なくとも一部が重なってことが好ましい。
【００１７】
これによれば、マウント電極部を圧電基板の表面および裏面に形成した場合であっても、マウント電極部の導通部に囲まれて形成された露出部が、圧電基板の表面および裏面で対向して配置される組み合せを複数組備えているので、圧電基板の表面から裏面、または裏面から表面を、透かし見ることができる。これにより、対向して配置された露出部を透かし見る非破壊試験で、マウント電極部での導電性接着剤の良否判定を実施するので、この良否判定に基づいて、導電性接着剤による圧電振動片とパッケージとの固定の接着力の良否、および圧電振動片のマウント電極部とパッケージの導通固定部との電気的接続の良否を確認することができる。このようにして、露出部を透かし見る非破壊試験により全数検査を実施するので、抜き取りで破壊試験を実施することによる不良の発生、つまり歩留りの低下を引き起こすことなく、接着力不良および電気的接続不良の圧電振動片を排除することができる。
【００１８】
［適用例７］上記適用例にかかる圧電振動子において、前記圧電基板は、透光性を有していることが好ましい。
【００１９】
これによれば、露出部を透かし見る非破壊試験において視認しやすくなるので、接着力および電気的接続の良否を精度良く判定することができる。
【００２０】
［適用例８］上記適用例にかかる圧電振動子において、前記圧電基板は、水晶であることが好ましい。
【００２１】
これによれば、上述と同様の効果を奏することができる。
【００２２】
［適用例９］本適用例にかかる圧電デバイスは、圧電基板と、前記圧電基板の表面または裏面のいずれかに形成されたマウント電極部と、前記圧電基板を収納するパッケージと、前記パッケージ内に形成された導通固定部と、前記圧電基板を駆動させる駆動回路とを備え、前記圧電基板は、前記パッケージ内に気密に封止され、前記マウント電極部は、前記導通固定部に固定され電気的に接続され、前記マウント電極部は、導電性部材により形成された導通部と、前記導通部に囲まれて前記圧電基板が露出した複数の露出部とを有することを要旨とする。
【００２３】
これによれば、マウント電極部が圧電基板の表面（または裏面）に形成されている場合、圧電基板の裏面（または表面）からマウント電極部を透かし見ることができるので、マウント電極部の露出部の状態を確認することができる。
圧電振動片とこの圧電振動片を収納するパッケージとの固定を、圧電振動片のマウント電極部とパッケージの導通固定部との間で、たとえば導電性接着剤を用いて図った後に、圧電振動片の側から露出部を透かし見る非破壊試験で、露出部での導電性接着剤の広がり具合の良否判定を実施するので、この良否判定に基づいて導電性接着剤による圧電振動片の露出部とパッケージとの固定の接着力の良否を確認することができる。つまり、露出部に導電性接着剤が広がっていれば、圧電振動片のマウント電極部とパッケージの導通固定部との接着力を良と判断できる。これに加えて、複数の露出部への導電性接着剤の広がり具合の良否判定を実施するので、この良否判定に基づいて複数の露出部の間に形成されている導通部とパッケージの導通固定部との電気的接続の良否を確認することができる。たとえば隣接する複数の露出部に導電性接着剤が広がっていれば、複数の露出部の間に形成されている導通部に導電性接着剤が広がっていると判断できる。これにより、圧電振動片のマウント電極部とパッケージの導通固定部との電気的接続を良と判断できる。
このようにして、露出部を透かし見る非破壊試験により全数検査を実施するので、抜き取りで破壊試験を実施することによる不良の発生、つまり歩留りの低下を引き起こすことなく、接着力不良および電気的接続不良の圧電振動片を排除することができる。
【００２４】
［適用例１０］上記適用例にかかる圧電デバイスにおいて、前記マウント電極部は、前記圧電基板の表面および裏面に形成され、前記表面および前記裏面のマウント電極部は、それぞれ前記複数の露出部を有し、前記表面の複数の前記露出部のうち一の露出部と、前記裏面の複数の前記露出部のうち一の前記露出部とは、平面視して少なくとも一部が重なっていることが好ましい。
【００２５】
これによれば、マウント電極部を圧電基板の表面および裏面に形成した場合であっても、マウント電極部の導通部に囲まれて形成された露出部が、圧電基板の表面および裏面で対向して配置される組み合せを複数組備えているので、圧電基板の表面から裏面、または裏面から表面を、透かし見ることができる。これにより、対向して配置された露出部を透かし見る非破壊試験で、マウント電極部での導電性接着剤の良否判定を実施するので、この良否判定に基づいて、導電性接着剤による圧電振動片とパッケージとの固定の接着力の良否、および圧電振動片のマウント電極部とパッケージのパッド部との電気的接続の良否を確認することができる。このようにして、露出部を透かし見る非破壊試験により全数検査を実施するので、抜き取りで破壊試験を実施することによる不良の発生、つまり歩留りの低下を引き起こすことなく、接着力不良および電気的接続不良の圧電振動片を排除することができる。
【００２６】
［適用例１１］上記適用例にかかる圧電デバイスにおいて、前記圧電基板は、透光性を有していることが好ましい。
【００２７】
これによれば、露出部を透かし見る非破壊試験において視認しやすくなるので、接着力および電気的接続の良否を精度良く判定することができる。
【００２８】
［適用例１２］上記適用例にかかる圧電デバイスにおいて、前記圧電基板は、水晶であることが好ましい。
【００２９】
これによれば、上述と同様の効果を奏することができる。
【発明を実施するための最良の形態】
【００３０】
以下の実施形態では、圧電基板、圧電振動片、圧電振動子、および圧電デバイスとして、圧電材料の一種である水晶からなる水晶基板、水晶振動片、水晶振動子、および水晶発振器を一例に挙げて説明する。
【００３１】
（第１実施形態）
以下、第１実施形態の水晶振動片について、図１および図２を参照して説明する。
図１は、第１実施形態の水晶振動片を示す概略構成図である。図２は、第１実施形態の水晶振動片を示す概略斜視図である。
【００３２】
図１に示すように、水晶振動片１は、水晶基板２と、励振電極３と、マウント電極部４と、引出電極５とを備えている。そして、励振電極３と、マウント電極部４と、引出電極５とは、水晶基板２の表面に形成されている。励振電極３、マウント電極部４、および引出電極５は、金（Ａｕ）、銀（Ａｇ）、またはアルミニウム（Ａｌ）からなる。そして、励振電極３、マウント電極部４、および引出電極５と、水晶基板２との間には、クロム（Ｃｒ）またはニッケル（Ｎｉ）などからなる下地層を形成していてもよい。
励振電極３、マウント電極部４、および引出電極５は、たとえばフォトリソグラフィー法を用いて、水晶基板２の表面にレジスト膜を形成した後、レジスト膜から露出した水晶基板２の表面にスパッタリングまたは蒸着などにより形成される。
【００３３】
マウント電極部４は、水晶基板２の表面に２個形成されている。マウント電極部４は、導電性部材により形成された導通部４１と、水晶基板２が露出した露出部４２とを有している。導通部４１は、複数の露出部４２を囲んでいる。
【００３４】
２個のマウント電極部４のうち、１個のマウント電極部４ａは、引出電極５により励振電極３と繋げられ電気的に接続されている。そして、もう１個のマウント電極部４ｂは、引出電極５および励振電極３に電気的に独立している。
【００３５】
図２（ａ）に示すように水晶振動片１は、水晶基板２の表面および裏面それぞれに、励振電極３と、マウント電極部４（４ａ，４ｂ）と、引出電極５とを備えている。そして、水晶基板２の裏面においての励振電極３、マウント電極部４（４ａ，４ｂ）、および引出電極５の配置および電気的接続は、図１に示した水晶基板２の表面においての配置および電気的接続と同様である。つまり、水晶基板２の表面および裏面において、対向して配置されたマウント電極部４ａ，４ｂの組み合せを２組備えている。つまり、マウント電極部４の露出部４２は、水晶基板２の表面および裏面において、対向して配置された組み合せを２組備えている。
【００３６】
水晶基板２の表面において、引出電極５により励振電極３と繋げられ電気的に接続されているマウント電極部４ａは、水晶基板２の裏面において電気的に独立しているマウント電極部４ｂに、水晶基板２の側面に形成された側面電極４ｃにより電気的に接続されている。
そして、水晶基板２の裏面においても、水晶基板２の表面と同様にして、水晶基板２の裏面のマウント電極部４ａは、水晶基板２の表面のマウント電極部４ｂに、水晶基板２の側面に形成された側面電極４ｃにより電気的に接続されている。水晶基板２の表面または裏面のいずれかに形成されたマウント電極部４（４ａ，４ｂ）を用いて、たとえば水晶振動片１を収納するパッケージに固定および電気的接続が成される。
【００３７】
水晶基板２の表面または裏面において、マウント電極部４ａ，４ｂ間に交流電流を流すことにより、引出電極５を介して、水晶基板２の表面に形成された励振電極３と、裏面に形成された励振電極３とに、正電荷および負電荷が交互に帯電させる。これにより、水晶基板２の表面と裏面との間において、電界の方向が変化する。この電界の発生方向に応じて、水晶基板２の表面および裏面との間で、水晶振動片１は圧電効果により振動（駆動）する。
【００３８】
以下、前記第１実施形態におけるマウント電極に関する変形例を記載する。
（変形例）
図２（ｂ）は、図２（ａ）に示した水晶振動片１の変形例を示す図である。
図２（ｂ）に示す水晶振動片１Ａは、図２（ａ）に示した水晶振動片１に対して相違する点は、マウント電極部４が水晶基板２の表面に１個形成されている点である。
【００３９】
この場合、水晶基板２の裏面に形成されたマウント電極部４（４ａ，４ｂ）を用いて、たとえば水晶振動片１Ａを収納するパッケージに固定および電気的接続が成される。
【００４０】
したがって、本実施形態および変形例によれば、マウント電極部４が水晶基板２の表面（または裏面）に形成されている場合、水晶基板２の裏面（または表面）からマウント電極部４を透かし見ることができるので、マウント電極部４の露出部４２の状態を確認することができる。
水晶振動片１（１Ａ）とこの水晶振動片１（１Ａ）を収納するパッケージとの固定を、たとえば導電性接着剤を用いて図った後に、水晶振動片１（１Ａ）の側から露出部４２を透かし見る非破壊試験で、露出部４２での導電性接着剤の広がり具合の良否判定を実施するので、この良否判定に基づいて導電性接着剤による水晶振動片１（１Ａ）の露出部４２とパッケージとの固定の接着力の良否を確認することができる。つまり、露出部４２に導電性接着剤が広がっていれば、水晶振動片１（１Ａ）のマウント電極部４とパッケージとの固定の接着力を良と判断できる。これに加えて、複数の露出部４２への導電性接着剤の広がり具合の良否判定を実施するので、この良否判定に基づいて複数の露出部４２の間に形成されている導通部４１とパッケージとの電気的接続の良否を確認することができる。たとえば隣接する複数の露出部４２に導電性接着剤が広がっていれば、複数の露出部４２の間に形成されている導通部４１に導電性接着剤が広がっていると判断できる。これにより、水晶振動片１（１Ａ）のマウント電極部４とパッケージとの電気的接続を良と判断できる。
このようにして、露出部４２を透かし見る非破壊試験により全数検査を実施するので、抜き取りで破壊試験を実施することによる不良の発生、つまり歩留りの低下を引き起こすことなく、接着力不良および電気的接続不良の水晶振動片１（１Ａ）を排除することができる。
【００４１】
そして、マウント電極部４を水晶基板２の表面および裏面に形成した場合であっても、マウント電極部４の導通部４１に囲まれて形成された露出部４２が、水晶基板２の表面および裏面で対向して配置される組み合せを複数組備えているので、水晶基板２の表面から裏面、または裏面から表面を、透かし見ることができる。これにより、対向して配置された露出部４２を透かし見る非破壊試験で、マウント電極部４での導電性接着剤の良否判定を実施するので、この良否判定に基づいて、導電性接着剤による水晶振動片１（１Ａ）とパッケージとの固定の接着力の良否、およびマウント電極部４とパッケージとの電気的接続の良否を確認することができる。このようにして、露出部４２を透かし見る非破壊試験により全数検査を実施するので、抜き取りで破壊試験を実施することによる不良の発生、つまり歩留りの低下を引き起こすことなく、接着力不良および電気的接続不良の水晶振動片１（１Ａ）を排除することができる。
【００４２】
また、露出部４２を透かし見る非破壊試験において視認しやすくなるので、接着力および電気的接続の良否を精度良く判定することができる。
【００４３】
（第２実施形態）
以下、第２実施形態の水晶振動子について、図３を参照して説明する。
図３は、第２実施形態の水晶振動子を示す概略構成図である。図３（ａ）はその概略平面図であり、図３（ｂ）はその概略Ａ−Ａ断面図である。
第２実施形態の水晶振動子は、図１および図２に示した第１実施形態の水晶振動片を用いた水晶振動子である。このため、水晶振動片については、同一の符号を付与し、構成の説明を省略する。
【００４４】
水晶振動子１０は、水晶振動片１と、パッケージ１１と、蓋体１２とを備えている。
パッケージ１１は、ベース基板１５と、積層基板１４と、接合部１３と、導通固定部１７と、外部接続端子１６と、収納室１９とを備えている。
【００４５】
パッケージ１１は、ベース基板１５に積層基板１４を積層し、積層基板１４上にロウ剤またはガラスなどからなる接合部１３を形成している。ベース基板１５および積層基板１４は、たとえば絶縁材料である酸化アルミニウム質からなるセラミックシートから形成されている。収納室１９は、積層基板１４を収納室１９の形状に合わせて刳り貫かれ、ベース基板１５に積層し、その後、焼結されることにより形成される。
【００４６】
導通固定部１７は、収納室１９内に２個備えている。導通固定部１７は、収納室１９内のベース基板１５上に形成されている。導通固定部１７は、ベース基板１５上に、たとえばタングステンメタライズ、ニッケルメッキ、および金メッキの順に形成される。
【００４７】
外部接続端子１６は、パッケージ１１の外側であるベース基板１５の下面、つまり収納室１９と対向する面に、２個備えている。外部接続端子１６は、ベース基板１５の下面に形成されている。外部接続端子１６は、ベース基板１５上に、たとえばタングステンメタライズ、ニッケルメッキ、および金メッキの順に形成することにより得られる。
そして、外部接続端子１６は、導通固定部１７と電気的に接続され、たとえばベース基板１５に配線（図示省略）が施されている。
【００４８】
水晶基板２の表面または裏面に形成されている２個のマウント電極部４（４ａ，４ｂ）は、導電性接着剤１８により導通固定部１７に固定され電気的に接続されている。導電性接着剤１８の量は、２個のマウント電極部４（４ａ，４ｂ）と導通固定部１７との接着力、耐衝撃性、アウトガスの発生周波数ズレ、ＣＩ値の変動、および経年変化などの特性、ならびに水晶基板２の表面または裏面上での２個のマウント電極部４（４ａ，４ｂ）間の短絡防止などを考慮して適宜決められる。このようにして、水晶振動片１は、パッケージ１１に形成された収納室１９内に設置されている。導電性接着剤１８は、シリコン系樹脂、エポキシ系樹脂、またはポリイミド系樹脂などからなり、銀（Ａｇ）またはプラチナ（Ｐｔ）などの導電性粉末が配合されている。
【００４９】
パッケージ１１は、接合部１３によって、蓋体１２に接合されている。このようにして、パッケージ１１と蓋体１２と接合部１３とによって、収納室１９内に水晶振動片１が気密に封止されている。
蓋体１２は、鉄（Ｆｅ）、コバルト（Ｃｏ）、ニッケル（Ｎｉ）などの金属、またはこれら金属を配合した合金、または酸化アルミニウム質などからなるセラミック、あるいはガラスで形成されている。
【００５０】
水晶基板２の表面または裏面において、マウント電極部４（４ａ，４ｂ）間に交流電流を流すことにより、引出電極５を介して、水晶基板２の表面に形成された励振電極３と、裏面に形成された励振電極３とに、正電荷および負電荷が交互に帯電させる。これにより、水晶基板２の表面と裏面との間において、電界の方向が変化する。この電界の発生方向に応じて、水晶基板２の表面および裏面との間で、水晶振動片１は圧電効果により振動する。このようにして構成された水晶振動子１０は、２個の外部接続端子１６間に交流電流を流すことにより駆動する。
【００５１】
したがって、本実施形態によれば、マウント電極部４が水晶基板２の表面（または裏面）に形成されている場合、水晶基板２の裏面（または表面）からマウント電極部４を透かし見ることができるので、マウント電極部４の露出部４２の状態を確認することができる。
水晶振動片１とこの水晶振動片１を収納するパッケージ１１との固定を、水晶振動片１のマウント電極部４とパッケージ１１の導通固定部１７との間で、たとえば導電性接着剤を用いて図った後に、水晶振動片１の側から露出部４２を透かし見る非破壊試験で、露出部４２での導電性接着剤の広がり具合の良否判定を実施するので、この良否判定に基づいて導電性接着剤による水晶振動片１の露出部４２とパッケージ１１との固定の接着力の良否を確認することができる。つまり、露出部４２に導電性接着剤が広がっていれば、水晶振動片１のマウント電極部４とパッケージ１１の導通固定部１７との固定の接着力を良と判断できる。これに加えて、複数の露出部４２への導電性接着剤の広がり具合の良否判定を実施するので、この良否判定に基づいて複数の露出部４２の間に形成されている導通部４１とパッケージ１１の導通固定部１７との電気的接続の良否を確認することができる。たとえば隣接する複数の露出部４２に導電性接着剤が広がっていれば、複数の露出部４２の間に形成されている導通部４１に導電性接着剤が広がっていると判断できる。これにより、水晶振動片１のマウント電極部４とパッケージ１１の導通固定部１７との電気的接続を良と判断できる。
このようにして、露出部４２を透かし見る非破壊試験により全数検査を実施するので、抜き取りで破壊試験を実施することによる不良の発生、つまり歩留りの低下を引き起こすことなく、接着力不良および電気的接続不良の水晶振動片１を排除することができる。
【００５２】
特に、水晶基板２の表面または裏面に２個のマウント電極部４（４ａ，４ｂ）を備える場合、圧電基板が小型化するに伴い、隣接するマウント電極部４（４ａ，４ｂ）間が狭くなり、導電性接着剤１８がマウント電極部４（４ａ，４ｂ）のそれぞれから食み出す（たとえば、特許文献２参照）ことで、マウント電極部４（４ａ，４ｂ）間で短絡する問題がある。しかし、マウント電極部４（４ａ，４ｂ）と導通固定部１７との固定を、マウント電極部４（４ａ，４ｂ）の複数の露出部４２と導通固定部１７との間で実施し、マウント電極部４（４ａ，４ｂ）と導通固定部１７との電気的接続を、マウント電極部４（４ａ，４ｂ）の複数の露出部４２の間に形成されている導通部４１と、導通固定部１７との間で実施する。これにより、マウント電極部４（４ａ，４ｂ）のそれぞれからはみ出して、マウント電極部４（４ａ，４ｂ）間で短絡することを防ぐことができる。
【００５３】
そして、マウント電極部４を水晶基板２の表面および裏面に形成した場合であっても、マウント電極部４の導通部４１に囲まれて形成された露出部４２が、水晶基板２の表面および裏面で対向して配置される組み合せを複数組備えているので、水晶基板２の表面から裏面、または裏面から表面を、透かし見ることができる。これにより、（対向して配置された）露出部４２を透かし見る非破壊試験で、マウント電極部４での導電性接着剤の良否判定を実施するので、この良否判定に基づいて、（上述の効果と同様に、）導電性接着剤による水晶振動片１とパッケージ１１との固定の接着力の良否、および水晶振動片１のマウント電極部４とパッケージ１１の導通固定部との電気的接続の良否を確認することができる。このようにして、露出部４２を透かし見る非破壊試験により全数検査を実施するので、抜き取りで破壊試験を実施することによる不良の発生、つまり歩留りの低下を引き起こすことなく、接着力不良および電気的接続不良の水晶振動片１を排除することができる。
【００５４】
また、露出部４２を透かし見る非破壊試験において視認しやすくなるので、接着力および電気的接続の良否を精度良く判定することができる。
【００５５】
（第３実施形態）
以下、第３実施形態の水晶発振器について、図４を参照して説明する。
図４は、第３実施形態の水晶発振器を示す概略構成図である。
第３実施形態の水晶発振器は、図１および図２に示した第１実施形態の水晶振動片を用いた水晶発振器である。このため、水晶振動片については、同一の符号を付与し、構成の説明を省略する。そして、第３実施形態の水晶発振器が、第２実施形態で示した水晶振動子と相違する点は、発振回路と、ボンディングワイヤとを備え、パッケージの構成が異なる点である。
【００５６】
水晶発振器２０は、水晶振動片１と、パッケージ２１と、水晶振動片１を駆動させる駆動回路を含むＩＣチップ２３と、金（Ａｕ）またはアルミニウム（Ａｌ）などからなるボンディングワイヤ２６と、蓋体１２とを備えている。
【００５７】
パッケージ２１の構成が、第２実施形態で示したパッケージ１１の構成と異なる点は、積層基板２５，２４と内部接続端子２７とを備え、外部接続端子１６を少なくとも３個備える点である。
【００５８】
パッケージ２１は、ベース基板１５の上に、積層基板２５，２４、積層基板１４の順に積層し、その後、焼結されることにより形成される。
パッケージ２１は、接合部１３によって、蓋体１２に接合されている。
【００５９】
内部接続端子２７は、収納室１９内のベース基板１５上に形成されている。内部接続端子２７は、ベース基板１５上に、たとえばタングステンメタライズ、ニッケルメッキ、および金メッキの順に形成することにより得られる。
【００６０】
ＩＣチップ２３は、収納室１９内のベース基板１５上に、接着剤によって固定されている。ＩＣチップ２３は、ボンディングワイヤ２６により、内部接続端子２７に電気的に接続されている。内部接続端子２７は、外部接続端子１６および導通固定部１７に電気的に接続され、たとえばベース基板１５および積層基板２５，２４に配線（図示省略）が施されている。外部接続端子１６は、少なくとも３個備え、それぞれ電源入力用、グランド用、および振動周波数出力用に用いられる。
【００６１】
このようにして構成された水晶発振器２０は、電源入力用の外部接続端子１６とグランド用の外部接続端子１６の間に電圧を印加することにより、水晶振動片１を駆動させる駆動回路を含むＩＣチップ２３を駆動させる。これにより、水晶振動片１は振動する。そして、振動周波数出力用の外部接続端子１６から、水晶振動片１の振動周波数を出力する。
【００６２】
したがって、本実施形態によれば、上述の実施形態と同様の効果を奏することができる。露出部４２を透かし見る非破壊試験により全数検査を実施するので、抜き取りで破壊試験を実施することによりＩＣチップ２３およびボンディングワイヤ２６などを無駄にしてしまうことを防ぐことができる。
【００６３】
なお、上記課題の少なくとも一部を解決できる範囲での変形、改良などは前述の実施形態に含まれるものである。
【００６４】
たとえば、露出部４２の形状は、丸形状、三角形状、あるいは六角形状などであっても良い。また、露出部４２の配置は、図５から図７に示すように、露出部４２の形状により様々に配置されてもよく、導通部４１により露出部４２を囲んでいれば、規則的に配置されていなくてもよい。
そして、マウント電極部４が、水晶基板２の表面および裏面で対向して配置された組み合せを備えている場合において、露出部４２の形状は、同一であることに限らず異なる形状の組み合せであってもよく、露出部４２が水晶基板２の表面および裏面において対向して配置された組み合せを複数組備えていればよい。
【００６５】
また、前述の実施形態では、水晶基板２の表面および裏面にマウント電極部４を１個または２個備えた水晶振動片１を一例に挙げて説明したが、これに限るものではなく、マウント電極部４を水晶基板２の表面または裏面いずれかに１個以上備えていればよい。
【００６６】
そして、圧電デバイスとして水晶発振器を一例に挙げて説明したが、これに限るものではなく、圧電振動ジャイロなどのセンサ、または水晶フィルタ（ＭＣＦ：Monolithic Crystal Filter）であってもよい。そして、圧電材料の一例として水晶を用いて説明したが、これに限るものではなく、タンタル酸リチウム、ニオブ酸リチウムなどの圧電材料を利用することができる。また、圧電振動片の形状もフラットタイプに限らず、コンベックスタイプや、逆メサ型、および音叉型などの圧電振動片にも適用することができる。そして、水晶振動片の振動モードは、とくに限定されることなく、厚みすべりモード、屈曲振動モード、または弾性表面波モードなどであってもよい。
【００６７】
また、圧電振動片の材料としては、水晶だけに限らず、タンタル酸リチウム（ＬｉＴａＯ3）、四ホウ酸リチウム（Ｌｉ2Ｂ4Ｏ7）、ニオブ酸リチウム（ＬｉＮｂＯ3）、チタン酸ジルコン酸鉛（ＰＺＴ）、酸化亜鉛（ＺｎＯ）、窒化アルミニウム（ＡｌＮ）などの圧電体、または、シリコンなどの半導体であってもよい。
【図面の簡単な説明】
【００６８】
【図１】第１実施形態の水晶振動片を示す概略構成図。
【図２】第１実施形態の水晶振動片を示す概略斜視図。
【図３】第２実施形態の水晶振動子を示す概略構成図。
【図４】第３実施形態の水晶発振器を示す概略構成図。
【図５】マウント電極の変形例を示す図。
【図６】マウント電極の変形例を示す図。
【図７】マウント電極の変形例を示す図。
【符号の説明】
【００６９】
１…水晶振動片、２…水晶基板、３…励振電極、４，４ａ，４ｂ…マウント電極、５…引出電極、１０…水晶振動子、４１…導通部、４２…露出部。
【図１】
2010161528.tif 000003
【図２】
2010161528.tif 000004
【図３】
2010161528.tif 000005
【図４】
2010161528.tif 000006
【図５】
2010161528.tif 000007
【図６】
2010161528.tif 000008
【図７】
2010161528.tif 000009